(57)【要約】【課題】自動的に記録された記録情報を遠隔にいるユーザに通知するとともに、記録された番組を再生するときに視聴制限をかけることができ、また、消去するときにプロテクトをかけることができるデジタル放送受信機を提供する。【解決手段】ユーザ情報と番組情報とを比較する手段と、比較した結果一致した場合に特定放送データを自動的に記録する手段と、記録する場合に特定ユーザの情報端末へ記録情報を送信する手段と、記録する場合にパスワードを生成する手段と、パスワードを情報端末へ送信する手段と、再生／消去命令手段と、再生／消去命令を受信して特定放送データに対するパスワードの入力要求をする手段と、パスワード入力手段と、特定ユーザに送信したパスワードとユーザから受信したパスワードとを比較する手段と、比較した結果一致した場合に特定放送データを再生または消去する手段とを有してなる。【選択図】　図２
2004104165.tif 000002
【特許請求の範囲】
【請求項１】
放送局から送信されるデジタル放送データを受信して特定放送データを視聴可能なデジタル放送受信機において、
特定放送データを記録する記録手段と、ユーザによって設定可能であって特定放送データを選択するためのユーザ情報を記憶するユーザ情報記憶手段と、ユーザ情報記憶手段で記憶されているユーザ情報と特定放送データに含まれている番組情報とを比較する番組情報比較手段と、番組情報比較手段で比較した結果が一致した場合に特定放送データを記録手段に自動的に記録する自動記録制御手段と、自動記録制御手段で特定放送データを記録手段に記録する場合に番組情報比較手段で比較したユーザ情報に基づき、特定放送データの記録情報を特定ユーザの情報端末に対して送信可能にする記録情報送信手段とを有することを特徴とするデジタル放送受信機。
【請求項２】
自動記録制御手段で特定放送データを記録手段に記録する場合にパスワードを生成するパスワード生成手段と、パスワード生成手段で生成されたパスワードを特定ユーザの情報端末へ送信するパスワード送信手段と、ユーザが特定放送データの再生または消去命令を記録手段に与えることができる再生／消去命令手段と、再生／消去命令手段での命令を受信してその命令を受けた特定放送データに対するパスワードの入力要求をするパスワード入力要求手段と、ユーザがパスワードを入力することができるパスワード入力手段と、特定ユーザに送信したパスワードとユーザから受信したパスワードとを比較するパスワード比較手段と、パスワード比較手段で比較した結果一致した場合に記録手段に記録されている特定放送データを再生または消去する再生／消去手段とを有することを特徴とする請求項１に記載のデジタル放送受信機。
【請求項３】
再生／消去命令手段およびパスワード入力手段は、ユーザの情報端末から入力可能であることを特徴とする請求項２に記載のデジタル放送受信機。
【請求項４】
ユーザの情報端末と情報を送受信する手段は、電子メール手段であることを特徴とする請求項１〜３のいずれか１項に記載のデジタル放送受信機。
【請求項５】
情報端末は、電話機であることを特徴とする請求項１〜４のいずれか１項に記載のデジタル放送受信機。
【請求項６】
ナンバーディスプレイ手段と、電話番号を記憶する電話番号記憶手段と、パスワードが入力される場合に電話番号を比較する電話番号比較手段とを有し、電話番号比較手段で比較した結果一致した場合にパスワード比較手段で比較することを特徴とする請求項５に記載のデジタル放送受信機。
【発明の詳細な説明】
【０００１】
【発明の属する技術分野】
本発明は、放送局から送信されるデジタル放送データを受信して特定放送データを視聴可能なデジタル放送受信機に関する。
【０００２】
【従来の技術】
近年、テレビジョン放送（衛星放送、地上放送およびＣＡＴＶ）は、デジタル化（デジタル放送）が進展している。デジタル放送におけるデジタル放送データには、画像および音声データに加えて、番組情報（番組配列情報（ＥＰＧ）および番組属性情報等）が含まれるものがある。そして、この番組情報の利用を図るため、デジタル放送受信機においては、記録手段を内蔵または接続して、ユーザが予めユーザ情報（番組に対するユーザの嗜好を表す情報（例えば、番組のジャンル））を設定して比較手段でユーザ情報と番組情報とを比較することによって記録手段にユーザの嗜好に合う番組を自動的に記録する機能を有する機種が開発・実用化されつつある。なお、デジタル放送データを記録する記録手段としては、ハードディスク装置（ＨＤＤ）が好適に用いられている。
【０００３】
【特許文献１】
特開２０００−２９５５８８号公報
【特許文献２】
特開２０００−３４１６６２号公報
【０００４】
【発明が解決しようとする課題】
しかしながら、従来の技術では、記録手段に自動的に記録された番組の内容をユーザがデジタル放送受信機から遠隔にいる場合において知ることができないという問題点がある。
【０００５】
また、記録手段に自動的に記録された番組は特定のユーザ以外であっても視聴することが可能であって視聴制限をかけることができない、また、記録手段に自動的に記録された番組の消去に対するプロテクトをかけることができないという問題点がある。
【０００６】
本発明は、このような状況を鑑みてなされたもので、デジタル放送受信機に内蔵または接続されている記録手段に自動的に記録された記録情報をデジタル放送受信機から遠隔にいるユーザに通知するとともに、記録手段に記録された番組を再生するときに視聴制限をかけることができ、また、記録手段に記録された番組を消去するときにプロテクトをかけることができるデジタル放送受信機を提供することを課題とする。
【０００７】
【課題を解決するための手段】
前述の課題を解決するため、本発明に係るデジタル放送受信機は、次のような手段を採用する。
【０００８】
即ち、本発明のデジタル放送受信機は、放送局から送信されるデジタル放送データを受信して特定放送データを視聴可能なデジタル放送受信機において、特定放送データを記録する記録手段と、ユーザによって設定可能であって特定放送データを選択するためのユーザ情報を記憶するユーザ情報記憶手段と、ユーザ情報記憶手段で記憶されているユーザ情報と特定放送データに含まれている番組情報とを比較する番組情報比較手段と、番組情報比較手段で比較した結果が一致した場合に特定放送データを記録手段に自動的に記録する自動記録制御手段と、自動記録制御手段で特定放送データを記録手段に記録する場合に番組情報比較手段で比較したユーザ情報に基づき、特定放送データの記録情報を特定ユーザの情報端末に対して送信可能にする記録情報送信手段を有することを特徴とする。
【０００９】
この手段では、番組情報比較手段で比較した結果が一致した場合に記録手段に自動的に記録された特定放送データの記録情報が特定ユーザの情報端末へ送信される。
【００１０】
また、本発明のデジタル放送受信機は、自動記録制御手段で特定放送データを記録手段に記録する場合にパスワードを生成するパスワード生成手段と、パスワード生成手段で生成されたパスワードを特定ユーザの情報端末へ送信するパスワード送信手段と、ユーザが特定放送データの再生または消去命令を記録手段に与えることができる再生／消去命令手段と、再生／消去命令手段での命令を受信してその命令を受けた特定放送データに対するパスワードの入力要求をするパスワード入力要求手段と、ユーザがパスワードを入力することができるパスワード入力手段と、特定ユーザに送信したパスワードとユーザから受信したパスワードとを比較するパスワード比較手段と、パスワード比較手段で比較した結果一致した場合に記録手段に記録されている特定放送データを再生または消去する再生／消去手段とを有することを特徴とする。
【００１１】
この手段では、特定放送データが記録手段に自動的に記録された場合にパスワードが特定ユーザの情報端末に送信される。また、ユーザがパスワードを入力することによってパスワード比較手段で比較した結果一致した場合に記録手段に記録されている特定放送データが再生または消去される。
【００１２】
また、再生／消去命令手段およびパスワード入力手段は、ユーザの情報端末から入力可能であることを特徴とする。
【００１３】
この手段では、ユーザの情報端末から特定放送データの再生または消去命令およびパスワードが入力される。
【００１４】
また、ユーザの情報端末と情報を送受信する手段は、電子メール手段であることを特徴とする。
【００１５】
この手段では、電子メール手段によってデジタル放送受信機とユーザの情報端末との情報の送受信がされる。
【００１６】
また、情報端末は、電話機であることを特徴とする。
【００１７】
この手段では、電話機によってデジタル放送受信機とユーザの情報端末との情報の送受信がされる。
【００１８】
また、ナンバーディスプレイ手段と、電話番号を記憶する電話番号記憶手段と、パスワードが入力される場合に電話番号を比較する電話番号比較手段とを有し、電話番号比較手段で比較した結果一致した場合にパスワード比較手段で比較することを特徴とする。
【００１９】
この手段では、電話番号比較手段で比較した結果一致した場合にパスワード比較手段でパスワードが比較される。
【００２０】
【発明の実施の形態】
以下、本発明に係るデジタル放送受信機の実施の形態を図面に基づいて説明する。
図１は、デジタル放送システムを示す概念図である。
【００２１】
放送局Ａとデジタル放送受信機（ＳＴＢ）Ｄは、放送用伝送路Ｂ、Ｃと通信網Ｆとによって接続されている。放送用伝送路Ｂ、Ｃとしては、衛星放送Ｂおよび地上放送Ｃが挙げられるが、他にＣＡＴＶ等であってもよい。通信網Ｆとしては、有線通信網（例えば、電話回線）および無線通信網が挙げられる。なお、通信網Ｆは、放送局Ａとデジタル放送受信機Ｄとの相互間、放送局Ａおよびデジタル放送受信機Ｄとユーザの情報端末Ｅとの相互間をそれぞれ接続する。
【００２２】
放送局Ａからは、デジタル放送データが高周波信号（電波）として送信される。デジタル放送データは、放送局Ａにおいて、画像および音声がデジタルデータ化され、次いで、伝送効率を高めるため圧縮符号化によってデジタルデータが圧縮符号化され、そして、複数の圧縮符号化されたデジタルデータ（番組）が多重化され、次いで、圧縮符号化され多重化されたデジタルデータが変調され、そして、放送用伝送路Ｂ、Ｃによる場合には放送局Ａから所定の帯域を持った電波として送信される。なお、デジタル放送データには、画像および音声データに加えて番組情報（番組配列情報（ＥＰＧ）および番組属性情報等）が付加される。
【００２３】
放送局Ａから送信された電波（デジタル放送データ）は、受信アンテナ（図示しない）を介してデジタル放送受信機Ｄに受信される。デジタル放送受信機Ｄでは、所定帯域の高周波信号に同調（チューニング）して、次いで、デジタル変調データを復調して、そして、多重化されているデジタル多重化データから特定放送データ（特定の番組）を選択して、次いで、選択された特定放送データは符号化されているため復号され、そして、視聴手段（例えば、ＣＲＴおよびスピーカ）で視聴される。なお、特定放送データを記録する場合には、符号化されている方がデータ量が少ないため復号される前の符号化されている状態で記録されるのが一般的である。
【００２４】
デジタル放送受信機Ｄは通信網Ｆへの接続手段を備えている。この接続手段は通信網Ｆを経由して放送局Ａとの双方向通信に使用される。例えば、契約情報を放送局Ａと双方向通信する場合や、番組毎に課金される有料番組の課金手段などに使用される。また、ユーザの情報端末Ｅ（例えば、携帯電話）との双方向通信も可能である。
【００２５】
図２は、本発明に係るデジタル放送受信機の実施の形態（１）を示す図である。
【００２６】
アンテナ１は、放送局Ａから送信される高周波信号（デジタル放送データ）を受信してチューナ２へ導くものである。アンテナ１としては、例えば、八木アンテナが用いられる。また、衛星放送Ｂを受信する場合には、パラボラアンテナとＬＮＢの組み合わせが用いられる。
【００２７】
チューナ２は、アンテナ１から導かれた所定の帯域をもった高周波信号から所望の周波数の信号を選択するとともに、中間周波数信号或いはベースバンド信号に変換して出力する。
【００２８】
復調手段３は、チューナ２から出力された信号（放送用伝送路Ｂ、Ｃによって決められた方式によって変調された信号）を復調してデジタルデータとして出力する。なお、復調されたデジタルデータは、圧縮符号化されたデジタル放送データ（画像および音声データ、番組配列情報（ＥＰＧ）、番組属性情報等）が多重化されている。
【００２９】
選択手段４は、多重化されているデジタル放送データから特定放送データ（特定の番組）を選択する。選択された特定放送データには、圧縮符号化された画像および音声データ、番組配列情報（ＥＰＧ）、番組属性情報等が含まれる。番組配列情報（ＥＰＧ）および番組属性情報はシステム制御手段８に送信されてデジタル放送受信機Ｄの制御に用いられる。一方、画像および音声データは、復号手段５の入力となる。また、選択手段４からの出力データは記録手段７の入力となって、画像および音声データ、番組配列情報（ＥＰＧ）、番組属性情報等が記録される。
【００３０】
復号手段５は、選択手段４から出力される圧縮符号化されたデジタル放送データを、視聴手段６で視聴可能な画像および音声データに復号する。
【００３１】
視聴手段６は、復号手段５から出力される画像および音声データを再生する。視聴手段６としては、例えば、ＣＲＴおよびスピーカが挙げられる。
【００３２】
記録手段７は、選択手段４で選択された特定放送データを記録する。再生時には、記録手段７に記録されている特定放送データが復号手段５を介して視聴手段６へ送信され視聴される。
【００３３】
システム制御手段８は、上記１〜７の手段を制御する。これによって、リアルタイムの視聴および記録／再生等が実行される。
【００３４】
リモコン９は、デジタル放送受信機本体から離隔してユーザが特定放送データ（チャンネル）の選択、記録／再生等の命令およびユーザ情報の入力等をする手段である。リモコン９はユーザのボタン操作をそれぞれのボタン操作に対して予め定められた信号形式に変換して、そして、変調された赤外線信号としてデジタル放送受信機本体へ送信する。なお、リモコン９から送信された信号はデジタル放送受信機本体のリモコンインタフェース１０に入力される。
【００３５】
リモコンインタフェース１０は、外来光の中から所望の信号のみを選択的に受光して、受光した変調波を復調してシステム制御手段８へ送信する。システム制御手段８は、リモコン９によって入力された情報に基づいて、チューナ２による選局、復調手段３、選択手段４および復号手段５の制御、記録手段７に対する記録／再生等を実行する。
【００３６】
また、通信網１２に接続する通信制御インタフェース１１を備えている。これによって、通信網１２による放送局Ａおよび情報端末Ｅとの双方向通信を可能としている。
【００３７】
ユーザ情報記憶手段８Ａは、予めユーザによって設定されるユーザ情報（番組に対するユーザの嗜好を表す情報（例えば、番組のジャンル））が記憶されている。なお、ユーザによるユーザ情報の設定は、例えば、リモコン９によってリモコンインタフェース１０を介してユーザ情報記憶手段８Ａに入力される。更に、将来的には、ユーザの視聴傾向から対象となるジャンルなどを推測して自動的にユーザ情報を設定することも考えられる。ユーザ情報記憶手段８Ａの情報は、番組情報比較手段８Ｂの一方の入力となる。番組情報比較手段８Ｂの他方の入力は、選択手段４から送信される。選択手段４は、番組情報（番組配列情報（ＥＰＧ）および番組属性情報等）を選択して番組情報比較手段８Ｂに出力する。
【００３８】
番組情報比較手段８Ｂは、ユーザ情報記憶手段８Ａおよび選択手段４から送信される情報を比較した結果一致した場合、自動記録制御手段８Ｃに番組情報（番組配列情報（ＥＰＧ）および番組属性情報等）を送信する。
【００３９】
自動記録制御手段８Ｃは、番組情報比較手段８Ｂから送信される番組情報（番組配列情報（ＥＰＧ）および番組属性情報等）に基づいて、番組の開始日時、終了日時、同調周波数および番組番号などを認識して予約する。予約された番組は所定の日時に記録が開始され番組の終了とともに記録が完了される。なお、記録（録画および録音）の開始および完了については、一般的な記録装置であるＶＴＲ等と同様である。自動記録制御手段８Ｃ他方の出力は、通信制御インタフェース１１を介して、記録情報（例えば、番組名）を番組情報比較手段８Ｂで比較したユーザ情報に基づき、特定ユーザの情報端末Ｅ（例えば、携帯電話）へ通信網Ｆによって送信する（記録情報送信手段）。なお、記録情報の情報端末Ｅへの送信は、例えば、電子メール手段が用いられる。
【００４０】
次に、本発明に係るデジタル放送受信機の実施の形態（２）について説明する。図３は、本発明に係るデジタル放送受信機の実施の形態（２）を示すものである。なお、実施の形態（１）と同様の説明は、同一符号を付すことで詳細を省略する。
【００４１】
自動記録制御手段８Ｃの他方の出力は、パスワード生成手段８Ｄの入力となる。パスワード生成手段８Ｄへ入力されるタイミングは、予約完了時、記録開始時または記録完了時等とすることができる。ここで、予約完了時にパスワード生成手段８Ｄへ入力することとすれば、以下に説明する動作によって、デジタル放送受信機から遠隔にいる特定ユーザに対して記録予定を通知することができ、記録前に削除（予約取り消し）することが可能となる。これによって、記録手段７がＨＤＤ等のように記録容量が有限である場合に記録手段７を有効に活用することができる。
【００４２】
自動記録制御手段８Ｃから入力を受けたパスワード生成手段８Ｄは乱数発生アルゴリズム等を用いてパスワードを発生する。このパスワードは、通信制御インタフェース１１を介して、特定ユーザの情報端末Ｅ（例えば、携帯電話）へ通信網Ｆによって送信される（パスワード送信手段）。なお、パスワードの送信は、例えば、電子メール手段が用いられる。
【００４３】
パスワード入力要求手段は、ユーザが記録手段７に記録されている特定放送データを再生しようとする場合（再生／消去命令手段によって再生命令がされた場合）にＯＳＤ（オンスクリーンディスプレィ）等によってパスワードの入力を要求する。
【００４４】
パスワード比較手段８Ｅは、パスワード入力要求手段によって要求されたパスワードをユーザがリモコン９等によって入力した場合に、パスワード生成手段８Ｄで生成したパスワードと入力されたパスワードとを比較する。パスワード比較手段８Ｅで比較した結果一致した場合に再生／消去命令を記録手段７に与える（再生／消去手段）。
【００４５】
なお、パスワード（再生／消去命令）は、通常、リモコン９によってユーザが入力してリモコンインタフェース部１０を介してパスワード比較部８Ｅ（パスワード要求手段）に送信される（パスワード入力手段（再生／消去命令手段））。または、ユーザの情報端末Ｅから通信網Ｆによって通信インタフェース１１を介して入力される。これによれば、番組情報を番組情報記憶手段８Ａに設定したユーザ以外のユーザが特定放送データを視聴したい場合に、遠隔からの特定ユーザによるパスワードの入力を可能とする。
【００４６】
なお、パスワードを入力する方法としては、ユーザが情報端末Ｅからのキー入力することによって、ＤＴＭＦを利用することが挙げられる。また、近年一般に広く利用されている携帯電話の電子メール手段を利用するようにしてもよい。
【００４７】
次に、本発明に係るデジタル放送受信機の実施の形態（３）について説明する。図４は、本発明に係るデジタル放送受信機の実施の形態（３）を示すものである。なお、実施の形態（１）と同様の説明は、同一符号を付すことで詳細を省略する。
【００４８】
実施の形態（３）は、実施の形態（２）において、ナンバーディスプレイ手段と、電話番号を記憶する電話番号記憶手段と、パスワードが入力される場合に電話番号を比較する電話番号比較手段８Ｆとを有し、電話番号比較手段８Ｆで比較した結果一致した場合にパスワード比較手段８Ｅで比較するようにしたものである。
【００４９】
【発明の効果】
以上のように、本発明によれば、番組情報比較手段で比較した結果一致した場合に記録手段に記録された特定放送データ（特定の番組）の記録情報（例えば、番組名）が特定ユーザの情報端末へ送信される。これによって、デジタル放送受信機から遠隔にいるユーザが記録手段に自動的に記録された番組を知ることができる効果がある。
【００５０】
また、特定放送データが記録手段に自動的に記録された場合にパスワードが特定ユーザの情報端末に送信される。また、ユーザがパスワードを入力することによってパスワード比較手段で比較した結果一致した場合に記録手段に記録されている特定放送データが再生または消去される。これによって、パスワードをデジタル放送受信機に表示することなくユーザに通知することができて、記録手段に自動的に記録された番組を再生するときの視聴制限をかけることができるとともに、記録手段に自動的に記録された番組の消去に対するプロテクトをかけることができる効果がある。
【００５１】
また、ユーザの情報端末から特定放送データの再生または消去命令およびパスワードが入力される。これによって、特定ユーザが遠隔にいる場合において、特定放送データを特定ユーザ以外のユーザが視聴したい場合にその視聴を可能にすることができるとともに、記録手段に記録されている特定放送データを消去することができ記録手段がＨＤＤ等の記録容量が有限であるものの場合に記録手段を有効に活用することができる効果がある。
【００５２】
また、電子メール手段によってデジタル放送受信機とユーザの情報端末との情報の送受信がされる。これによって、デジタル放送受信機とユーザの情報端末との双方向通信の利便性が向上する。
【００５３】
また、電話番号比較手段で比較した結果一致した場合にパスワード比較手段でパスワードが比較される。これによって、更に、記録手段に自動的に記録された番組のセキュリティ強度を高めることができる効果がある。
【図面の簡単な説明】
【図１】デジタル放送システムを示す概念図である。
【図２】本発明に係るデジタル放送受信機の実施の形態（１）を示す図である。
【図３】本発明に係るデジタル放送受信機の実施の形態（２）を示す図である。
【図４】本発明に係るデジタル放送受信機の実施の形態（３）を示す図である。
【符号の説明】
１　　アンテナ
２　　チューナ
３　　復調手段
４　　選択手段
５　　復号手段
６　　視聴手段
７　　記録手段
８　　システム制御手段
９　　リモコン
１０　リモコンインタフェース
１１　通信制御インタフェース
【図１】
2004104165.tif 000003
【図２】
2004104165.tif 000004
【図３】
2004104165.tif 000005
【図４】
2004104165.tif 000006